(57)【要約】【課題】ユーザが個人的に作成したデザインの絵柄等をコピーすることによって衣服用の生地等として利用可能にする。【解決手段】柔軟性があるシート素材１と、シート素材１の片面に付着されたホットメルト層２と、ホットメルト層２を介してシート素材１に貼着された剥離シート３と、を備え、前記シート素材１の他面を、電子画像形成装置によるトナー画像形成面として使用可能にする。【選択図】図１
2008126652.tif 000002
【特許請求の範囲】
【請求項１】
柔軟性があるシート素材と、
該シート素材の片面に付着されたホットメルト層と、
該ホットメルト層を介して前記シート素材に貼着された剥離シートと、
を備え、
前記シート素材の他面が、電子画像形成装置によるトナー画像形成面として使用可能に  形成されていることを特徴とする請求項１に記載のプリント用シート。
【請求項２】
前記剥離シートが、電子画像形成装置を用いて前記シート素材の他面に対しトナー画像を形成可能にする硬さまたは厚みを有することを特徴とする請求項１に記載のプリント用シート。
【発明の詳細な説明】
【技術分野】
【０００１】  本発明は、一般ユーザがデザインした絵柄等を柔軟なシート素材に印刷するのに用いるプリント用シートに関する。
【背景技術】
【０００２】  従来から、剥離シート上に感熱性接着層を重ね、この感熱性接着層上にＰＶＣ又はアクリル樹脂等に顔料を練り込んで着色したシートを着色層として積層し、さらにその着色層上に支持体を設けた熱転写シートが、知られている（例えば、特許文献１参照）。【０００３】  この熱転写シートは、剥離シートを除去して所望の図形や文字に裁断し、不要部分を取り除いた後、Ｔシャツなど衣料品の基布上に加圧、加熱して貼り付けられる。また、この貼り付け後に、前記支持体を剥離することにより、基布上に前記図形や文字などの図柄を付着することができる。【０００４】  また、前記Ｔシャツ等に施されるプリントは、シルクスクリーンプリントが主流であり、ＰＶＣやアクリル樹脂などに顔料を練り込んで着色した色糊が用いられる。このため、複数色の絵柄や文字を組み合わせたものを得ようとする場合には、色糊を変えて再び同様のプリント作業を繰り返すこととなる。
【特許文献１】特開２００３−２９５７７１号公報
【発明の開示】
【発明が解決しようとする課題】
【０００５】  しかしながら、このようなシルクスクリーンプリントによるＴシャツ等へのプリントには、大掛かりな設備と煩雑な作業を伴うところから、一般家庭において、個人がこのプリント作業を行うには大きな経済的負担を伴うという問題があった。【０００６】  本発明は、前記のような従来の問題点を解消するものであり、一般家庭で使用されている電子画像形成装置を用いて、ユーザが個人的に作成したデザインの絵柄等をプリントまたはコピーすることによって衣服用の生地等として利用可能にすることができるプリント用シートを提供することを目的とする。
【課題を解決するための手段】
【０００７】  前記目的達成のために、本発明にかかるプリント用シートは、柔軟性があるシート素材と、該シート素材の片面に付着されたホットメルト層と、該ホットメルト層を介して前記シート素材に貼着された剥離シートと、を備え、前記シート素材の他面が、電子画像形成装置によるトナー画像形成面として使用可能に形成されていることを特徴とする。【０００８】  この構成により、各家庭でユーザが使用している電子画像形成装置を用いて、該ユーザがデザインした絵柄等の着色画像やモノクロ画像を、柔軟性があるシート素材上に印刷することにより、前記絵柄が付着したプリント用シートを得ることができる。また、前記シート素材を、前記剥離シートを剥離した上で、裏地となる別の生地にホットメルト層を介して熱圧着することにより、前記デザインの絵柄等を持つ生地のシャツやパンツ、あるいはスカートなどの裁断、縫製に適する新規な生地を作成することができる。【０００９】  また、前記生地のうち特定の絵柄がある部分を切り抜いて、衣類、その他の物品に熱転写することができるとともに、この切り抜いた絵柄を持つシート素材が柔軟であることにより、これを前記物品の曲面に対して熱転写することもできる。【００１０】  また、本発明にかかるプリント用シートは、前記剥離シートが、電子画像形成装置を用いて前記シート素材の他面に対しトナー画像を形成可能にする硬さまたは厚みを有することを特徴とする。
この構成により、電子画像形成装置内にプリント用シートを通過させてシート素材に印刷やコピーを行わせるに際し、柔軟性のある前記シート素材が撓んだり、折れたり、縮んだりしないように、剥離シート上にこのシート素材を安定的に支持する。このため、電子画像形成装置内でのプリント用シートの通過を円滑化でき、これにより、前記コピー用シートのシート素材上にユーザがデザインした絵柄等のトナー画像を正しくクリアーに形成することができる。
【発明の効果】
【００１１】  本発明によれば、一般家庭で使用されている電子画像形成装置を用いて、ユーザが個人的に作成したデザインの絵柄等をプリントまたはコピーすることによって、その絵柄を持つ、世界に二つと無いデザインを施した衣料用の生地等を、簡単かつ経済的に得ることができる。したがって、この絵柄を施した新しいデザインの生地を用いてファッション性の高い各種衣料品等を、市場に広く提供することができるという効果が得られる。
【発明を実施するための最良の形態】
【００１２】  以下に、本発明の実施形態を、図面を参照しながら説明する。
図１は、本発明の実施形態によるプリント用シートを示す断面図である。このプリント用シートは、一般家庭にもあるレーザプリンタなどの電子画像作成装置を利用することにより、ユーザ自身がパソコン上で作成した絵柄、文字などをシート素材上に印刷可能にするように構成される。【００１３】  図１において、プリント用シートＡは、柔軟性のあるシート素材１と、このシート素材１の片面に付着されたホットメルト樹脂またはホットメルト樹脂フィルムなどのホットメルト層２と、このホットメルト層２を介して前記シート素材１に貼着した剥離シート３と、を備えている。【００１４】  ここで、前記シート素材１としては、被転写部材の円弧面や屈曲面に馴染み易く、強靭で柔軟性がある例えば合成皮革が、任意の形状、サイズに裁断されて用いられる。この合成皮革の材料として、例えばエクセーヌ（東レ株式会社の商品名）やラムース（株式会社旭化成の商品名）などが用いられる。【００１５】  また、前記ホットメルト層２を構成するホットメルト樹脂としては、シート素材１に接着可能であれば、特に限定されるものではなく、例えば熱可塑性ポリウレタン、スチレン／エチレン／ブチレンブロック共重合体、エチレン／酢酸ビニル熱可塑性エラストマー等からなる接着剤が用いられる。このホットメルト樹脂の層厚は、接着力の不足又は接着剤のはみ出しを回避できる、例えば５０〜１５０μｍとすることが望ましいが、本発明では特にこの値に限定される必要はない。【００１６】  また、剥離シート３としては、ホットメルト層２から剥離可能なものであれば特に限定されないが、例えばポリプロピレン、ポリ塩化ビニル、ポリカーボネート、ポリエチレンテレフタレートなどが用いられる。【００１７】  前記構成になるプリント用シートＡは、電子画像形成装置であるコピー機やプリンタ装置によって、そのシート素材１上に、図２に示すようなトナー画像層４が形成される。つまり、前記のようなプリント用シートＡを電子画像形成装置に通すことによって、パソコン等で作成した絵柄や文字等を、このプリンタ用シート上にトナー画像層４として載せる（印刷する）ことができる。【００１８】  この場合に、前記シート素材１のホットメルト層２に接着される面（一面）とは反対側の面（他面）を、必要に応じトナー画像層４のコピーまたはプリントが滑らかに行われるような平滑面に、つまりトナー画像形成面として使用可能に形成することもできる。【００１９】  例えば、このシート素材１の前記他面を、粒度が＃８００程度のサンドペーパを用いて平滑処理する。これにより、その表面が滑らか（平滑処理面）になってトナーの付着が良好になり、得られるトナー画像の絵柄や文字等をクッキリとシート素材１上に表現することができる。【００２０】  また、前記エクセーヌなどの柔軟性があるシート素材１の表面は凹凸であるが、この凹凸面を無くし、さらに表面を滑らかにするために、カレンダー加重が例えば３０トン／平方センチメートルとなる一対のロール間を通過させれば、この凹凸面を無くし、さらに表面を滑らかにすることができる。これにより、トナー画像形成面として十分に使用可能にし、前記トナー層の付着性をより確実にすることができる。
また、シート素材１の一部に対する平滑処理を省くことで、シート素材１の表面の凹凸部分をデザイン上の特徴として残した、トナー画像層４の形成も可能である。【００２１】  さらに、本実施形態では、複数枚のプリントシートに対してトナー画像層４を連続的に形成するために、各プリントシートを電子画像形成装置に順次送り込む。この送り込みの際に、柔軟なシート素材１が撓んだり、折れたり、縮れたりないように、このシート素材１を、ホットメルト層２を介して所定の硬さおよび厚みを持つ剥離シート３に支承させて（貼り付けて）ある。【００２２】  これによって、ユーザがパソコンを使って作成した絵柄や文字等のトナー画像層４を、所定の形状、サイズに維持したまま、つまり伸び縮みなくシート素材１に対してプリントすることができる。同様にして、ユーザが用紙に手書き等で描いた絵柄や文字等を、コピー機をもちいることで、前記プリント用シートＡを構成するシート素材１に対し連続コピー（複製）することができる。【００２３】  前記ホットメルト層２は、前記シート素材１と剥離シート３とがコピー中や印刷中に相互に面方向に位置しないように、所定の硬さおよび粘度を持つものを使用することが肝要である。【００２４】  このような構成のプリント用シートＡは、一般家庭にある電子画像形成装置でコピーや印刷が可能なＡ２、Ａ３、Ａ４、Ｂ２、Ｂ３、Ｂ４などのサイズに形成されるが、必要に応じこれらのサイズ以上のものを用いることもできる。この場合には、このサイズに見合った大掛かりなコピー機やプリンタ装置を用意する必要がある。【００２５】  コピー機やプリンタ装置を用いて前記シート素材１上に、図２に示すようにカラーやモノトーンの絵柄や文字等のトナー画像層４を持つプリント用シートＡを得ることができる。そして、このプリント用シートＡを裁断および縫製することによって、衣料品やその他の物品に仕立てることができる。【００２６】  例えば、前記プリンタ装置等によって印刷したトナー画像層４を持つプリント用シートＡを用意し、剥離シート３をホットメルト層２から分離する。次に、剥離シート３が除かれたホットメルト層２に対して所定の色彩、模様などを持つ裏地（裏生地）を熱圧着する。この熱圧着は家庭用アイロンなどを使用すれば、一般ユーザも容易に家庭で実施でき、前記裏地をシート素材１に簡単、迅速に張り合わせることができる。【００２７】  このようにして裏地を施したプリント用シートＡは、例えば図３に示すように、衣類であるジャンパー１１や、シャツ１２や、スカート１３等の生地として裁断し、縫製することができる。また、前記プリント用シートＡのうちコピーやプリントを行った一部の絵柄部分を切り抜いた後、剥離シート３を除去した上で、別の生地に貼り付けることもできる。このようにして得られた生地や切り抜かれて貼り付けられる生地の一部である絵柄や文字等は、ユーザ自身が作成した世界に一つしかないデザインであり、他製品との差別化ができるとともにファッション性に富むものとなる。【００２８】  また、図４に示すように、別のデザインのプリント用シートＡを裁断および縫製することによって、ハンドバッグ２１を作成することができる。このハンドバッグ２１を構成��るシート素材１の表面には、ハートマークと文字「Ｂ」を組み合わせた絵柄２２がトナー画像によって設けられている。このトナー画像もユーザ自身のデザインによるものであるため、他とは差別化されたファッション性を具現することができる。【００２９】  また、図５に示すように、別のデザインのプリント用シートＡを裁断および縫製することによって、パンプス３１を作成することができる。このパンプス３１を構成するシート素材１の表面には、ハートマークと文字「Ｂ」を組み合わせた絵柄３２がトナー画像によって設けられている。このトナー画像もユーザ自身のデザインによるものであるため、他とは差別化されたファッション性を具現することができる。【００３０】  そして、前記ジャンパー１１と、スカート１３と、ハンドバッグ２１と、パンプス３１とに表されるトナー画像の絵柄を、それぞれ同一または関連するものとすることで、デザイン上の統一性をとることができ、ファッション性を向上することができる。
また、図２に示したプリント用シートＡに対し種々の形状の型抜きを行った後、剥離紙を剥がしてシート素材１に対しホットメルト層２を介してレース地やオーガンジー等を張り合わせることにより、例えば膨れ織に似たような効果をプリントシートＡ上に表すことができる。【００３１】  なお、前記トナー画像層のシート素材１に対する密着性を確保し、保護するために、そのトナー画像層４の表面に対し，シリコーン撥水膜や樹脂皮膜の吹き付けや張り合わせによる撥水処理膜や保護処理膜を施す。これにより、生地としての耐久性の向上と褪色などの品質劣化を有効に回避することができる。【００３２】  以上のように、本実施形態にあっては、柔軟性があるシート素材１と、シート素材１の片面に付着されたホットメルト層２と、ホットメルト層２を介してシート素材１に貼着された剥離シート３と、を備え、シート素材１の他面を、電子画像形成装置によるトナー画像形成面として使用可能にしたことにより、各家庭でユーザが使用している電子画像形成装置を用いて、ユーザがデザインした絵柄等の着色やモノトーンの画像を、柔軟性があるシート素材１上に簡単に印刷して、前記絵柄が付着したシート素材１を得ることができる。また、このシート素材１を、剥離シート３を剥離した上で裏地となる別の生地にホットメルト層２を介して熱圧着することにより、前記デザインの絵柄等を持つ生地から、各種の衣料品等を作成することができる。
【産業上の利用可能性】
【００３３】  本発明のプリント用シートは、トナー画像で絵柄を表した新しいデザインの生地からなるファッション性の高い衣料品等を、市場に広く提供することができるという効果を有し、一般ユーザがデザインした絵柄等を柔軟性シート素材に印刷するのに用いるプリント用シート等に有用である。
【図面の簡単な説明】
【００３４】
【図１】  本発明の実施形態によるプリント用シートを示す断面図である。
【図２】  図１におけるシート素材にトナー画像層を設けたプリント用シートを示す断面図である。
【図３】  図１のプリント用シートからなる衣料品を示す斜視図である。
【図４】  図１のプリント用シートからなるハンドバッグを示す斜視図である。
【図５】  図１のプリント用シートからなるパンプスを示す斜視図である。
【符号の説明】
【００３５】  １  シート素材
２  ホットメルト層
３  剥離シート
４  トナー画像層
【図１】
2008126652.tif 000003
【図２】
2008126652.tif 000004
【図３】
2008126652.tif 000005
【図４】
2008126652.tif 000006
【図５】
2008126652.tif 000007
【手続補正書】
【提出日】平成19年5月14日(2007.5.14)
【手続補正１】
【補正対象書類名】明細書
【補正対象項目名】００２３
【補正方法】変更
【補正の内容】
【００２３】  前記ホットメルト層２は、前記シート素材１と剥離シート３との間に介在されて、コピー中やプリント中にこれらの周縁から食み出さないように、所定の硬さおよび粘度を持つことが肝要である。
【手続補正２】
【補正対象書類名】明細書
【補正対象項目名】００２６
【補正方法】変更
【補正の内容】
【００２６】  例えば、前記プリンタ装置等によって印刷したトナー画像層４を持つ広幅のプリント用シートＡを用意し、剥離シート３をホットメルト層２から分離する。次に、剥離シート３が除かれたホットメルト層２を介して、トナー画像層４をシート素材１上に持つプリント用シートＡを所定の色彩、模様などを持つ裏地（裏生地）に熱圧着する。この熱圧着は家庭用アイロンなどを利用すれば、一般ユーザでも容易に家庭で実施でき、前記裏地にプリント用シートＡを簡単、迅速に張り合わせることができる。
【手続補正３】
【補正対象書類名】図面
【補正対象項目名】図２
【補正方法】変更
【補正の内容】
【図２】
2008126652.tif 000008